(57)【要約】【課題】  かつらをかぶって装着するだけで、ずり上がりや浮き上がりを確実に防止でき、かつ、自然なフェイスラインを演出できる全頭かつらを得る。【解決手段】  全頭かつらにおけるベース地２の前頭部中央の生え際先端部３を本来の生え際よりも奥側に位置させると共に、前頭部の生え際両端角部４，４を本来の生え際よりも水かき状に前進させ、これにより前頭部の生え際両端角部４，４の切り込み部分をなくすようにしながら前頭部中央の生え際先端部３と左右側頭部のもみあげ部５，５とをほぼ直線状に連設した。水かき状に前進させた前頭部の生え際両端角部４，４に地肌に対して滑らずくっつく素材を用いた。これにより、前頭部中央の生え際先端部３を本来の生え際よりも奥側に位置させても後ろにずれない構成とした。【選択図】図１
0003155598.tif 000002
【実用新案登録請求の範囲】
【請求項１】
頭形状のベース地２を形成し、このベース地２に髪を植込み逢着してなる全頭かつらにおいて、上記ベース地２の前頭部中央の生え際先端部３を本来の生え際よりも奥側に位置させると共に、前頭部の生え際両端角部４，４を本来の生え際よりも水かき状に前進させ、これにより前頭部の生え際両端角部４，４の切り込み部分をなくすようにしながら前頭部中央の生え際先端部３と左右側頭部のもみあげ部５，５とをほぼ直線状に連設し、かつ、水かき状に前進させた前頭部の生え際両端角部４，４に地肌に対して滑らずくっつく素材を用いて、前頭部中央の生え際先端部３を本来の生え際よりも奥側に位置させても後ろにずれない構成としたことを特徴とする全頭かつら。
【請求項２】
水かき状に前進させた前頭部の生え際両端角部４，４を透明または肌色の素材により形成すると共に、前頭部の生え際両端角部４，４に植込む髪の量を、他の部位の髪の量に較べて少なくし、本来生えていない部分から生えている違和感を緩和するようにしたことを特徴とする請求項１記載の全頭かつら。
【考案の詳細な説明】
【技術分野】
【０００１】  本考案は、頭形状のベース地を形成し、このベース地に髪を植込み逢着してなる全頭かつらに関する。
【背景技術】
【０００２】  従来、この種の全頭かつらは、図３及び図４において実線で示すように、本来髪が生えている部分に一致せて、つまり本来の生え際を再現するように頭形状のベース地Ａをネットなどにより形成し、このベース地Ａに髪（図示せず）を植込み逢着して形成している。そして、使用時にはこの全頭かつらのベース地Ａを本来の生え際の輪郭にぴったりと合わせてかぶり込むことにより用いている。
【考案の開示】
【考案が解決しようとする課題】
【０００３】  ところが、上記した全頭かつらにあっては、そのベース地Ａの前頭部の生え際両端角部Ｂ，Ｂが、図３及び図４仮想線で示すように本来の生え際再現通りに切り込まれた形状となっている。そのため、切り込まれた前頭部の生え際両端角部Ｂ，Ｂによりベース地Ａの前頭部中央の生え際先端部Ｃと、左右側頭部のもみあげ部Ｄ，Ｄとが分断されて独立した状態となっている。これにより、この全頭かつらをかぶった時にベース地Ａ全体が一つのキャップのようにフィットせず、前頭部中央の生え際先端部Ｃと、左右側頭部のもみあげ部Ｄ，Ｄとがそれぞれ独立してぺらぺらと浮いた状態になる。その結果、上記した従来の全頭かつらをかぶっただけの装着では、上を見たり、日常生活での動きだけでも、容易にずれたり浮き上がったりすることになり、長時間ずれたり脱げないように維持するのは困難であった。【０００４】  また、上記した従来の全頭かつらのベース地Ａでは、本来の生え際再現通りの形状なので、どうしても時間の経過に伴ってずり上がりが徐徐におこり脱げる格好になる。そこで、使用者は、このずり上がりに対し全頭かつらを自分の生え際より前に深くかぶりずり上がりを抑えようとする。しかし、本来かつらは自分の生え際より後ろ目に付けフロントは髪だけでスタイリングするほうが自然に仕上がるのであって、自分の生え際より前に深くかぶると額が異常に狭くなり不自然で見た目にもかつらをかぶっているのが露骨に判る状態になり、かつら本来の使用目的を十分に果たせないことになる。その上、前に深くかぶってしまうと、フロントの違和感だけでなくベース地Ａの後部も浮いてかつらぽくなり、天頂部も型が合わず浮いてしまいプカプカするといった不具合が生じるものであった。【０００５】  このように従来の全頭かつらの形状では、すぐにずれたり浮き上がったりすることから、そのずれや浮き上がりを防止する手段としてかつら装着に際して特別に両面テープや接着剤を用いる必要があった。しかし、この両面テープや接着剤を用いたずれや浮き上がりを防止手段にあっては、貼ったり塗ったりするのが非常に面倒であるし、またその作業が難しく装着失敗や髪が挟まったりしてトラブルが発生する原因になっていた。【０００６】  そこで、本考案は、かつらをかぶって装着するだけで、ずり上がりや浮き上がりを確実に防止でき、かつ、自然なフェイスラインを演出できる全頭かつらの提供を課題とする。
【課題を解決するための手段】
【０００７】  上記した問題を解決するために、本願の請求項１記載の考案は、頭形状のベース地２を形成し、このベース地２に髪を植込み逢着してなる全頭かつらにおいて、上記ベース地２の前頭部中央の生え際先端部３を本来の生え際よりも奥側に位置させると共に、前頭部の生え際両端角部４，４を本来の生え際よりも水かき状に前進させ、これにより前頭部の生え際両端角部４，４の切り込み部分をなくすようにしながら前頭部中央の生え際先端部３と左右側頭部のもみあげ部５，５とをほぼ直線状に連設し、かつ、水かき状に前進させた前頭部の生え際両端角部４，４に地肌に対して滑らずくっつく素材を用いて、前頭部中央の生え際先端部３を本来の生え際よりも奥側に位置させても後ろにずれない構成としたことを特徴とする。
なお、髪とは人毛は勿論、人工毛も含む概念である。【０００８】  また、本願の請求項２記載の考案は、請求項１記載の構成に加えて水かき状に前進させた前頭部の生え際両端角部４，４を透明または肌色の素材により形成すると共に、前頭部の生え際両端角部４，４に植込む髪の量を、他の部位の髪の量に較べて少なくし、本来生えていない部分から生えている違和感を緩和するようにしたことを特徴とする。
【考案の効果】
【０００９】  本考案によれば、ベース地２の前頭部中央の生え際先端部３を本来の生え際よりも奥側に位置させる一方、頭形状のベース地２における前頭部の生え際両端角部４，４の切り込み部分をなくすようにしながら前頭部中央の生え際先端部３と左右側頭部のもみあげ部５，５とをほぼ直線状に連設したから、頭部へのベース地２の装着時、ほぼ直線状に連設した前頭部中央の生え際先端部３から左右側頭部のもみあげ部５，５までを、一つのキャップとして前頭部に弛みなくぴったりとフィットさせてかぶせることができる。これにより前頭部中央の生え際先端部３と左右側頭部のもみあげ部５，５のめくれ、ずり上がり及び浮き上がりを同時にかつ確実になくすことができる。しかも、切り込み部分をなくすように水かき状に前進させた前頭部の生え際両端角部４，４に地肌に対して滑らずくっつく素材を用いたことにより、前頭部中央の生え際先端部３と左右側頭部のもみあげ部５，５との間のベース地部分を積極的に地肌にしっかりくっつけることができる。その結果、かつらをかぶって装着するだけであっても、上記した前頭部中央の生え際先端部３と左右側頭部のもみあげ部５，５とをほぼ直線状に連設した形状によるめくれやずり上がり防止効果と、くっつき素材からなる前頭部の生え際両端角部４，４のくっつき効果とが相俟って、前頭部中央の生え際先端部３のめくれやずり上がりと、左右側頭部のもみあげ部５，５の浮き上がりとを同時にかつより効果的になくすことができる。したがって、前頭部中央の生え際先端部３を実際の生え際より奥側に位置させた形状であっても全くずれることがないので、前頭部中央の生え際先端部３の後退に伴いごく自然なフェイスラインを演出することができる。【００１０】  また、水かき状に前進させた前頭部の生え際両端角部４，４を透明または肌色の素材により形成すると共に、前頭部の生え際両端角部４，４に植込む髪の量を、他の部位の髪の量に較べて少なくすることにより、本来生えていない部分から生えている違和感を緩和することができ、より自然なフェイスラインを演出することが可能となる。
【考案を実施するための最良の形態】
【００１１】  以下、本考案の実施の形態を図に基づいて説明する。【００１２】  図１及び図２は本考案に係る全頭かつらを示し、この全頭かつら１はネットなどからなる頭形状のベース地２を形成し、このベース地２に髪（図示せず）を植込み逢着して形成される。なお、髪としては人毛は勿論人工毛であってもよい。【００１３】  そして、ベース地２はその前頭部中央の生え際先端部３を本来の生え際よりも後退させると共に、前頭部の生え際両端角部４，４を本来の生え際よりも水かき状に前進させ、これにより前頭部の生え際両端角部４，４の切り込み部分をなくすようにしながら前頭部中央の生え際先端部３と左右側頭部のもみあげ部５，５とをほぼ直線状に連設したのである。【００１４】  また、図１及び図２において斜線で示す水かき状に前進させた前頭部の生え際両角部４，４に、地肌に対して滑らずくっつき、かつ、透明または肌色の人工皮膚などのくっつき素材を用いたのである。【００１５】  図に示す実施の形態では、ベース地１の左右側頭部のもみあげ部５，５の下側側端部６，６と、後頭部の襟足部７にも、滑らずくっつく素材を備えた構成となっている。【００１６】  次に、以上のように構成した全頭かつら１の作用について説明する。【００１７】  本考案の全頭かつら１によれば、ベース地２の前頭部中央の生え際先端部３を本来の生え際よりも奥側に位置させる一方、頭形状のベース地２における前頭部の生え際両端角部４，４の切り込み部分をなくすようにしながら前頭部中央の生え際先端部３と左右側頭部のもみあげ部５，５とをほぼ直線状に連設したから、頭部への全頭かつら１の装着時、ベース部材２のほぼ直線状に連設した前頭部中央の生え際先端部３から左右側頭部のもみあげ部５，５までを、一つのキャップとして前頭部に弛みなくぴったりとフィットさせてかぶせることができる。これにより前頭部中央の生え際先端部３と左右側頭部のもみあげ部５，５のめくれ、ずり上がり及び浮き上がりを同時にかつ確実になくすことができる。【００１８】  また、切り込み部分をなくすように水かき状に前進させた前頭部の生え際両端角部４，４に地肌に対して滑らずくっつく素材を用いたことにより、前頭部中央の生え際先端部３と左右側頭部のもみあげ部５，５との間のベース地部分を積極的に地肌にしっかりくっつけることができる。【００１９】  その結果、従来のように両面テープや接着剤を用いず、単にかつらをかぶって装着するだけであっても、上記した前頭部中央の生え際先端部３と左右側頭部のもみあげ部５，５とをほぼ直線状に連設した形状によるめくれやずり上がり防止効果と、くっつき素材からなる前頭部の生え際両端角部４，４のくっつき効果とが相俟って、前頭部中央の生え際先端部３のめくれやずり上がりと、左右側頭部のもみあげ部５，５の浮き上がりとを同時にかつより効果的になくすことができる。したがって、前頭部中央の生え際先端部３を実際の生え際より奥側に位置させた形状であってもずれるといったことがないので、前頭部中央の生え際先端部３の後退に伴いごく自然なフェイスラインを演出することができる。【００２０】  また、水かき状に前進させた前頭部の生え際両端角部４，４を透明または肌色の素材により形成し、か���、これら両端角部４，４に植込む髪の量を、他の部位の髪の量に較べてかなり少なくしているので、本来生えていない部分から生えている違和感をより緩和することができ、さらに自然なフェイスラインを演出することが可能となる。
【図面の簡単な説明】
【００２１】
【図１】  本考案に係る全頭かつらの側面図である。
【図２】  同全頭かつらの平面図である。
【図３】  従来の説明図である。
【図４】  同平面図である。
【符号の説明】
【００２２】  １        全頭かつら
２        ベース地
３        前頭部の生え際先端部
４，４    前頭部の生え際両端角部
５，５    左右側頭部のもみあげ部
【図１】
0003155598.tif 000003
【図２】
0003155598.tif 000004
【図３】
0003155598.tif 000005
【図４】
0003155598.tif 000006